(57)【要約】【課題】個包装された粒状食品を外装袋に整列収納した包装容器において、開封する際、粒状食品を露出させ、容易に取り出すことができる包装容器を提供することにある。【解決手段】台紙に、個包装された粒状食品を整列載置した個包装収納体と、該個包装収納体を収納する外装袋とからなる包装容器において、前記台紙が、横長底面板３の一方の辺に縦折れ線ａを介して前面板４が連接されたブランク２から組み立てられ、前記前面板は、縦折れ線を介して内側に折り曲げられ、取っ手部を形成し前記横長底面板３の内面に、前記粒状食品を接着する接着固定部８が形成されていることを特徴とする包装容器である。【選択図】図２
2015085992.tif 000002
【特許請求の範囲】
【請求項１】
台紙に個包装された粒状食品を整列載置した個包装収納体と、該個包装収納体を収納する外装袋とからなる包装容器において、
前記台紙が、横長底面板の一方の辺に縦折れ線を介して前面板が連接されたブランクから組み立てられ、
前記前面板は、縦折れ線を介して内側に折り曲げられ、取っ手部を形成し、
前記横長底面板の内面に、前記粒状食品を接着する接着固定部が形成されていることを特徴とする包装容器。
【請求項２】
前記台紙が、他方の辺に縦折れ線を介して背面板が連接されたブランクから組み立てられ、
前記背面板は、縦折れ線を介して内側に折り曲げられ、背面部を形成し、
前記背面板の内面に、前記粒状食品を接着する接着固定部が形成されていることを特徴とする請求項１記載の包装容器。
【請求項３】
前記接着固定部が、易剥離性を有していることを特徴とする請求項１または２記載の包装容器。
【発明の詳細な説明】
【技術分野】
【０００１】
本発明は、個包装された粒状食品を整列収納した包装容器に関するものである。
【背景技術】
【０００２】
従来、個包装された粒ガムを整列収納した包装容器は、携帯できる小形の容器が使用されている。特に、整列収納された粒ガムを外装袋に収納されているものが多く、中でも、包装紙でオーバーラップ包装しているものが多い。
【０００３】
しかし、このような包装容器を開封しても、粒ガムが露出せず、また包装袋の開口部が狭いために、指を開口部に入れることができず、粒ガムの取り出しを容易に行うことができない問題がある。
【０００４】
また、本発明の趣旨とは異なるが、複数の個包装された板状ガムがシート状物に接着され、該シート状物は、多数の板状ガムを内側に包み込むように折り曲げられている容器がある（特許文献１）。
【０００５】
この包装容器は、ヒンジタイプの容器であり、食するときに、蓋を開封することで、板状ガムが露出するため、接着された板状ガムを取り出すことは容易なものとなっている。
【０００６】
よって、個包装された粒ガムを外装袋に整列収納した包装容器においても、開封する際、粒ガムを露出させることができ、容易に取り出すことができるものの要望がある。
【先行技術文献】
【特許文献】
【０００７】
【特許文献１】実公平７−９８０９号公報
【発明の概要】
【発明が解決しようとする課題】
【０００８】
本発明は、背景技術の問題を鑑みて、個包装された粒状食品を外装袋に整列収納した包装容器において、開封する際、粒状食品を露出させ、容易に取り出すことができる包装容器を提供することにある。
【課題を解決するための手段】
【０００９】
上記の課題を解決するために、発明者らは鋭意検討を行い、本発明を完成した。
【００１０】
本発明の請求項１に係る発明は、台紙に個包装された粒状食品を整列載置した個包装収納体と、該個包装収納体を収納する外装袋とからなる包装容器において、
前記台紙が、横長底面板の一方の辺に縦折れ線を介して前面板が連接されたブランクから組み立てられ、
前記前面板は、縦折れ線を介して内側に折り曲げられ、取っ手部を形成し、
前記横長底面板の内面に、前記粒状食品を接着する接着固定部が形成されていることを特徴とする包装容器である。
【００１１】
本発明の請求項２に係る発明は、前記台紙が、他方の辺に縦折れ線を介して背面板が連接されたブランクから組み立てられ、
前記背面板は、縦折れ線を介して内側に折り曲げられ、背面部を形成し、
前記背面板の内面に、前記粒状食品を接着する接着固定部が形成されていることを特徴と
する請求項１記載の包装容器である。
【００１２】
本発明の請求項３に係る発明は、前記接着固定部が、易剥離性を有していることを特徴とする請求項１または２記載の包装容器である。
【発明の効果】
【００１３】
本発明の包装容器は、開封後、台紙の取っ手部を持って個包装収納体を外装袋から引き出すことにより、粒状食品を露出させることができる。また横長底面板に接着固定部が形成されているために、粒状食品がばらけたり、台紙から零れることもなく、安定して引き出し露出させることができる。
【００１４】
また、個包装収納体を外装袋に挿入させることで、包装容器の開口部は、取っ手部により再封できる。包装容器を不用意に逆にしたときでも、粒状食品が台紙から零れることはない。
【００１５】
また、細長底面板の内面に接着固定部を形成することで、粒状食品が台紙に接着するため、個包装収納体を外装袋から引き出したり、また外装袋への挿入が繰り返されても、粒状食品がばらけたり、台紙から零れることがない。
【００１６】
また、台紙に背面部を形成することで、外装袋から個包装収納体を引き出した際に、一番背面側の粒状食品が背面側に倒れ難くすることができる。一番背面側の粒状食品が倒れ難いことで、外装袋からの引き出し、外装袋への挿入を繰り返し行っても、ばらけたり、台紙から零れることがない。
【００１７】
また、細長底面板と背面板に接着固定部を形成することで、さらに、一番背面側の粒状食品が背面側に倒れ難くすることができる。外装袋からの引き出し、外装袋への挿入を繰り返し行っても、ばらけたり、台紙から零れることがない。
【００１８】
また、接着固定部が、易剥離性を有していることにより、粒状食品を台紙から取ることができる。
【図面の簡単な説明】
【００１９】
【図１】本発明の包装容器の一例を示す説明図である。
【図２】台紙のブランクの一例を示す説明図である。
【図３】図２のブランクを組み立てた台紙に粒ガムを整列収納した個包装収納体の一例を示す説明図である。
【図４】包装容器を開封した時の一例を示す説明図である。
【図５】包装容器を再封したときの一例を示す説明図である。
【図６】他の台紙の形状の一例を示す説明図である。
【図７】図６のブランクを組み立てた台紙に粒ガムを整列収納した個包装収納体の一例を示す説明図である。
【発明を実施するための形態】
【００２０】
以下本発明を実施するための形態につき説明する。
【００２１】
図１に示す包装容器３０は、台紙に、個別包装された粒ガム（粒状食品）を整列載置した個包装収納体と、該個包装収納体を収納する外装袋１とからなるものである。外装袋１は、包装紙でオーバーラップ包装されているものである。
【００２２】
図２には、台紙を形成するブランクを示している。ブランク２は、細長底面板３の左辺
には縦折れ線ａを介して前面板４が連接されている。細長底面板３の内面には、粒ガムを接着するための接着固定部８が形成されている。この接着固定部８は、粒ガムを接着する機能と、易剥離機能の双方を有しているものである。
【００２３】
図３は、図２のブランクの前面板４を、縦折れ線を介して内側に折り曲げ、取っ手部６を形成した台紙２０を形成し、該台紙２０の横長底面板３の上に個別包装された粒ガム１０を整列載置した個包装収納体２５を示している。粒ガム１０は、細長底面板の内面に形成された接着固定部８により台紙２０に接着固定されている。
【００２４】
図４は、包装容器を開封したときの一例を示す説明図である。包装容器の開封切取り部９を切取り、個包装収納体２５を外装袋１から引き出した一例を示している。図４−１に示すように、台紙２０の取っ手部６を掴み、個包装収納体２５を外装袋１から引き出した状態を示している。粒ガム１０を露出させることができ、ばらけたりせず、容易に粒ガムを取ることができる。また、粒ガム１０は、接着固定部８に接着されているために、個包装収納体を外装袋からの引き出し、挿入を繰り返しても、ばらけたり、台紙から零れることがない。次に、図４−２には、食する際、粒ガム１０を一個取ったときの一例を示している。接着固定部８は、易剥離機能を有しているために粒ガムを取ることができる。接着固定部８は、接着機能および易剥離機能を有しているためである。
【００２５】
図５は、包装容器を再封したときの一例を示す説明図である。個包装収納体から粒ガムを取り出し後、取っ手部６を掴み、個包装収納体を外装袋１に挿入させ、外装袋の開口部１１に取っ手部６を当接して再封した包装容器３０を示している。粒ガムが、接着固定部からばらけた場合でも、台紙から零れることはない。
【００２６】
図６は、他の台紙の形状の一例を示している。ブランク２は、細長底面板３の左辺には縦折れ線ａを介して前面板４が連接され、右辺には、縦折れ線ａを介して背面板５が形成されている。また細長側面板３および背面板５の内面には、粒ガムを接着するための接着固定部８が形成されている。
【００２７】
図７は、図６のブランクを組み立て台紙に、個包装された粒ガムを整列載置した個包装収納体２５を示している。前面板４を、縦折れ線を介して内側に折り曲げ、取っ手部６を形成し、背面板５を縦折れ線ａを介して内側に折り曲げ、背面部７を形成した台紙に、個包装された粒ガム１０を整列載置した個包装収納体２５を示している。台紙２０には、細長底面板３の内面および背面板５の内面にそれぞれ接着固定部８が形成されている。整列載置された粒ガム１０は、横長底面板および背面板の接着固定部に接着されている。
【００２８】
また、背面板の内面に接着固定部が形成されているために、外装袋から個包装収納体を引き出しても一番背面側の粒ガムが背面側に倒れ難く、引き出しおよび外装袋への挿入が、繰り返されても粒ガムがばらけることがない。
【００２９】
本発明の包装容器は、台紙に取っ手部を設けることで、個包装収納体を外装袋から容易に、引き出し、粒ガムを露出させることができる。容易に粒ガムを取ることができる。また外装袋へ個包装収納体を挿入することで、取っ手部により再封することができる。また、細長底面板の内面および背面板の内面に接着固定部を設けることにより、粒ガムがばらけることがない。
【００３０】
更に、詳しく本発明を説明する。
【００３１】
台紙２０に使用する材料としては、特に限定されるものでないが、強度や折り曲げ易さなどを考慮して、紙材料を使用することができる。通常、コートボール紙、カートン紙、
カップ紙、ダンボール紙、板紙（再生紙を含む）、カード紙など、通常の紙器加工に用いられる紙シートを使用できる。紙の厚さは、特に限定されない。
【００３２】
この紙シートを用いて、所定の台紙の寸法に合わせブランクを形成する。ブランクは、縦折れ線を加工するのと同時に、外形抜き加工を行い形成することができる。トムソン抜型、プレス（金属）型などで可能である。
【００３３】
また、接着固定部８を形成する接着剤としては、接着性と易剥離性を有する粘着剤が使用できる。例えば、公知のアクリル系、ゴム系、ビニルエーテル系、シリコン系などの粘着剤が使用できる。また、ディレートタック型の粘着剤が使用できる。また、無溶剤型の粘着剤が使用できる。粘着性と易剥離性を考慮して、塗膜の厚さを調整すればよい。また、これら粘着剤の中に、これら樹脂に親和力の小さい微細粒子、例えば、酸化亜鉛、酸化チタン、炭酸カルシウム、カオリン、活性白土、球状アルミナ、シリカ、ガラス粉末などを加えてもよい。
【００３４】
接着固定部８を形成する方法としては、上記粘着剤を、グラビア印刷、オフセット印刷、インキジェット印刷、ノズル塗布などの公知の方法で可能である。
【００３５】
外装袋１について説明する。外装袋として、包装紙により包装するものや、他に三方シール袋、四方シール袋、ガゼット包装袋なども使用できる。
【００３６】
外装袋を形成する積層シートは、基材層／シーラント層、または、基材層／接着層／シーラント層の層構成からなるものが使用できる。基材層としては、耐熱性を有し、機械的強度や寸法安定性を有するものであれば、特に限定されない。引き裂き性を有するセロハン、紙、多孔性フィルムなどが使用できる。また一軸延伸フィルムなども使用できる。例えば、ポリエチレン、ポリプロピレン、ポリエステルフィルムなどが使用できる。また粒ガムの保存性を向上させるために、基材層に水蒸気バリア性や酸素バリア性を付与させることができる。例えば、アルミニウム蒸着やアルミニウム箔、酸化アルミニウムなどの無機酸化物蒸着などを積層してもよい。
【００３７】
シーラント層としては、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−メタクリル酸共重合体（ＥＭＡＡ）、エチレン−アクリル酸エチル共重合体（ＥＡＡ）、エチレン−酢酸ビニル共重合体（ＥＶＡ）、アイオノマー、ポリプロピレン（ＰＰ）などのポリオレフィン系樹脂からなるフィルムが使用できる。また、これら樹脂を溶剤に溶解または分散させたラッカ―を塗布して形成してもよい。
【００３８】
接着層としては、ドライラミネート用接着剤が使用できる。例えば、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤などが使用することができる。貼り合わせ方法としては、ドライラミネート法にて可能である。また、シーラント層を押出し機により押出しながら、アンカー剤（接着剤）を介して貼り合わせることもできる。
【００３９】
以下、本発明の包装容器の製造方法について簡単に説明する。
【００４０】
所定の台紙を作成するために、ブランクを形成する。ブランクは、細長底面板の左辺に縦折れ線を介して前面板を連接して形成する。
【００４１】
このブランクの前面板を、縦折れ線を介して内側に折り曲げ、取っ手部を形成し、台紙
を形成する。
【００４２】
次に、細長底面板に接着固定部を形成しながら、予め整列された粒ガムを細長底面板に載置して個包装収納体を作成する。
【００４３】
この個包装収納体を、例えば、紙とシーラント層を積層した積層シートを用いた外装袋に収納する。この場合は、個包装収納体の取っ手部側に、外装袋を開封する開封切取り部を設けることが必要である。このようにすることで本発明の包装容器が作成できる。
【００４４】
また、他の台紙として、細長底面板の左辺に縦折れ線を介して前面板を連接し、細長底面板の右辺に縦折れ線を介して背面板を連接しブランクを形成する。
【００４５】
この前面板を、縦折れ線を介して内側に折り曲げ、取っ手部を形成し、背面板を、縦折れ線を介して内側に折り曲げ、背面部を形成し、台紙を形成する。
【００４６】
細長底面板の内側および背面板の内側に接着固定部を形成しながら、予め整列された粒ガムを細長底面板に載置して個包装収納体を作成する。
【００４７】
次に、この個包装収納体を、上記積層シートを用いた外装袋に収納する。このようにすることで本発明の他の形態の包装容器を作成できる。
【００４８】
以下、本発明の具体的実施例について説明する。
【実施例１】
【００４９】
坪量１２０ｇ／ｍ２のコートボール紙を用いて、図２に示すようなブランクを形成した。ブランクは、細長底面板の左辺に縦折れ線を介して前面板を連接したものである。
【００５０】
次に、前面板を、縦折れ線を介して内側に折り曲げて、取っ手部を有する台紙を形成した。
【００５１】
次に、細長底面板の内側に、接着固定部を形成する無溶剤型の粘着剤をノズル方式にて塗布しながら、予め整列された粒ガムを細長底面板に載置して個包装収納体を形成した。
【００５２】
この個包装収納体を坪量７０ｇ／ｍ２の紙と、ポリエチレンフィルム１５μを積層した積層シートを用いた外装袋に収納して図１に示すような包装容器を作成した。この際に、取っ手部側に外装袋を開封する開封切取り部を設けた。ポリエチレンフィルムは、押出し機により押出しラミネートした。
【実施例２】
【００５３】
坪量１２０ｇ／ｍ２のコートボール紙を用いて、図６に示すようなブランクを形成した。ブランクは、細長底面板の左辺に縦折れ線を介して前面板を連接し、右辺には縦折れ線を介して背面板を連接したものである。
【００５４】
次に、このブランクの前面板および背面板を、それぞれ縦折れ線を介して内側に折り曲げて、取っ手部および背面部を有する台紙を形成した。
【００５５】
次に、細長底面板の内面および背面板の内面に接着固定部を形成する無溶剤型の粘着剤をノズル方式にて塗布しながら、予め整列された粒ガムを細長底面板に載置して個包装収納体を形成した。
【００５６】
この個包装収納体を実施例１で形成した積層シートを用いた外装袋に収納して図１に示すような包装容器を作成した。この際に、取っ手部側に外装袋を開封する開封切取り部を設けた。
【００５７】
＜評価＞
実施例１および実施例２の包装容器の開封切取り部を切取り、開封し、以下の評価を行った。
・外装袋から取っ手部を持って個包装収納体を引き出し、粒ガムの露出性およびばらけの有無を確認した。
・個包装収納体を外装袋へ挿入して再封性を確認した。
・個包装収納体を、外装袋からの引き出し、外装袋への挿入の繰り返しを１０回行い、粒ガムのばらけ、台紙からの零れの有無も確認した。
・粒ガムの取り出し性を確認した。
【００５８】
＜評価結果＞
実施例１および実施例２の包装容器は、取っ手部を持って、個包装収納体を外装袋から引き出すことにより、容易に粒ガムを露出させることができた。また、個包装収納体を外装袋へ挿入することで、再封性も良好であった。また、個包装収納体を外包装からの引き出し、外装袋への挿入を繰り返し行っても粒ガムのばらけ、台紙からの零れなどがなく良好であった。また、粒ガムを手で容易に取ることができた。
【産業上の利用可能性】
【００５９】
本発明の包装容器は、粒ガムの他にも、同形状のチョコレート、キャンデーなどの食品にも利用できる。
【符号の説明】
【００６０】
１    外装袋
２    ブランク
３    細長底面板
４    前面板
５    背面板
６    取っ手部
７    背面部
８    接着固定部
９    開封切取り部
１０  粒ガム
１１  開口部
２０  台紙
２５  個包装収納体
３０  包装容器
ａ    縦折れ線
【図１】
2015085992.tif 000003
【図２】
2015085992.tif 000004
【図３】
2015085992.tif 000005
【図４】
2015085992.tif 000006
【図５】
2015085992.tif 000007
【図６】
2015085992.tif 000008
【図７】
2015085992.tif 000009